【事件の表示】
　平成　３年特許願第１７５７５８号「固体撮像装置」拒絶査定に対する審判事件〔平成　４年１２月２５日出願公開、特開平　４−３７３２７３、請求項の数（２）〕について、次のとおり審決する。
【結　論】
　原査定を取り消す。
　本願の発明は、特許すべきものとする。
【理　由】
１　手続きの経緯・本願発明 　
　本願は、平成２年６月２１日の出願であって、その請求項に係る発明は、平成１４年６月１２日付けの手続き補正書により補正された特許請求の範囲（請求項の数２）に記載された次のとおりのものと認める。
　　
　【請求項１】垂直方向及び水平方向に画素を複数備え、各画素が、光電変換素子と、水平アドレス及び垂直アドレスの指定をそれぞれ受けることによって前記光電変換素子に蓄積した電荷を掃き出すリセット手段と、水平アドレス及び垂直方向のアドレスの指定をそれぞれ受けることによって前記光電変換素子に蓄積した電荷を信号としてサンプルホールドするサンプルホールド手段と、水平アドレス及び垂直方向のアドレスの指定をそれぞれ受けることによって前記画素から選択的に前記信号を読み出すアクセス手段とを含んでなる撮像領域と、
　水平アドレス、垂直アドレスを指定することにより所望の画素を指定して、指定された画素の前記アクセス手段を制御し、水平アドレス、垂直アドレスを指定することにより所望の画素を指定して、指定された画素の前記リセット手段を制御し、水平アドレス、垂直アドレスを指定することにより所望の画素を指定して、指定された画素の前記サンプルホールド手段を制御するデコーダと、を設けた固体撮像素子と、
　前記固体撮像素子の前記デコーダによって読み出された撮像領域に含まれる複数の画素からの信号と、所定の基準レベル信号とを比較する比較手段と、
　前記固体撮像素子の露光条件を制御する露光制御手段と、
　読み出された前記信号のレベルが所定の信号レベルの範囲外にあると前記比較手段により判断された第１の画素のリセット手段及びサンプルホールド手段を動作させ、読み出された前記信号のレベルが所定の信号レベルの範囲内にあると前記比較手段により判断された第２の画素のリセット手段及びサンプルホールド手段を動作させないように、前記デコーダに制御信号を送るとともに、露光条件を他の条件に設定するために前記露光制御手段に制御信号を送り、さらに、新たに設定された露光条件で得られる前記第１の画素に含まれる光電変換素子からの信号をサンプルホールドし、この信号のレベルが所定の信号レベルに範囲内にあると前記比較手段により判断されたときに、前記第１の画素及び前記第２の画素を含む複数の画素の信号を信号処理回路へ出力するように前記デコーダへ制御信号を送る制御信号発生手段と、
　を備えた固体撮像装置。
【請求項２】垂直方向及び水平方向に画素を複数備え、各画素が、光電変換素子と、水平アドレス及び垂直アドレスの指定をそれぞれ受けることによって前記光電変換素子に蓄積した電荷を掃き出すリセット手段と、水平アドレス及び垂直方向のアドレスの指定をそれぞれ受けることによって前記光電変換素子に蓄積した電荷を信号としてサンプルホールドするサンプルホールド手段と、水平アドレス及び垂直方向のアドレスの指定をそれぞれ受けることによって前記画素から選択的に前記信号を読み出すアクセス手段とを含んでなる撮像領域と、
　水平アドレス、垂直アドレスを指定することにより所望の画素を指定して、指定された画素の前記アクセス手段を制御し、水平アドレス、垂直アドレスを指定することにより所望の画素を指定して、指定された画素の前記リセット手段を制御し、水平アドレス、垂直アドレスを指定することにより所望の画素を指定して、指定された画素の前記サンプルホールド手段を制御するデコーダと、を設けた固体撮像素子と、
　前記固体撮像素子の前記デコーダによって読み出された撮像領域に含まれる複数の画素からの信号と、所定の基準レベル信号とを比較する比較手段と、
　前記固体撮像素子の露光条件を制御する露光制御手段と、
　読み出された前記信号のレベルが所定の信号レベルの範囲外にあると前記比較手段により判断された第１の画素のアドレスを記憶するメモリと、
　前記第１の画素のリセット手段及びサンプルホールド手段を動作させ、読み出された前記信号のレベルが所定の信号レベルの範囲内にあると前記比較手段により判断された第２の画素のリセット手段及びサンプルホールド手段を動作させないように、前記デコーダに制御信号を送るとともに、前記比較手段の比較結果に基づき決められた露光条件に設定するために前記露光制御手段に制御信号を送り、設定された該露光条件で得られる前記第１の画素に含まれる光電変換素子からの信号をサンプルホールドし、前記第１の画素及び前記第２の画素を含む複数の画素の信号を信号処理回路へ出力するように前記デコーダへ制御信号を送る制御信号発生手段と、
　を備えた固体撮像装置。
　（以下，それぞれ「本願発明１」及び「本願発明２」という。）
　
２　原査定の拒絶の理由
　原査定の拒絶の理由の概要は、本願請求項１，２に係る発明は、本願出願前に頒布された刊行物である特開昭６０−０２２８７９号公報（以下、「引用例」という。）に記載された発明及び当業者に自明な事項に基づいて当業者が容易に発明をすることができたものであるから、特許法２９条２項の規定により特許を受けることができない、というものである。
　引用例１には，撮像出力信号を蓄積し、蓄積された信号量に応じて画面の一部分の感度を変えるために，各光電変換素子の電荷蓄積時間を制御するようにした固体撮像装置感度制御方式が記載されており、またリセット時刻を信号読み出しと独立に制御するためにリセット信号制御部とＸ−Ｙリセット回路を設けることの記載もある。
　そして，撮像出力信号を蓄積し，該蓄積された信号量に応じて固体の単位光電変換素子における入射光に対する電荷蓄積時間を制御しうるようにしたことにより，機械絞りはほとんど不要となり従来のものより重量が軽くでき，構成も簡単となる効果があることが記載されている。
　
３　当審の判断
　(1) 画像の対象
　引用例の発明について検討するに，明確な記載はないが，第１の場合ないし第３の場合に分けて説明しており，画素の説明だけでなくフィールドやフレームの説明を含め明細書全体からみると，引用例が対象としている画像が動画であることが推定できる。
　これに対し本願発明１は，１回目の露光の後，露光条件を変えて再度露光を行い，その後，全画素の信号を出力していることから，静止画を対象としていることが推定できる。
　
　(2) 目的
　引用例の発明は，機械的絞りによって入射光量を制御するだけでは，「白つぶれ」等の現象が解決できないので，電荷蓄積時間を制御するようにして，画面全体にわたって一様な感度制御のみならず部分的な感度制御をも可能としたものである。
　これに対し本願発明１は，撮影時間の短縮を一つの目的としており，この目的は，静止画の場合に該当し，引用例の対象とする動画の場合には該当しないものである。
　
　(3) リセット機能
　引用例の発明では画素ごとのリセットは可能であるが，リセットの後の電荷蓄積時間を制御することにより絞り機能の効果を出しているものであり，これに対し本願発明１では，最初の露光が不適切な画素のについて，画素ごとのリセットを行い，リセットの後に再度露光を行い，リセットを行った画素のみ信号を新たなものとするものであり，両者は作用機序が基本的に異なるものというべきである。　
　
　(4) 原査定
　リセット信号を各画素独立に発生させること，画素にランダムアクセスすること，電荷をホールドする手段を設けること及びダイナミックレンジを大きくすることは，それぞれ当業者に自明又は周知であるとしても，本願発明に最も近いとする引用例との相違が前記画像対象，目的，リセット機能の各点で基本的に異なることから，本願発明を当業者が容易に発明できたとはできず、特許法２９条２項の規定により特許を受けることができない、とすることはできない。
　
　本願発明２についても，前記(1)ないし(3)の点において引用例と異なることから，当業者が容易に発明できた，とすることはできない。
　
４．むすび
　したがって、本願請求項１及び２に係る発明は、上記引用例に記載された発明に基づいて当業者が容易に発明をすることできたものとすることはできない。
　また、他に本願を拒絶すべき理由を発見しない。
　よって、結論のとおり審決する。